(57)【要約】【課題】待機状態における容器本体に対するヘッドカバーの露出位置への移動を確実に規制できる吐出容器を提供する。【解決手段】外装体４とヘッドカバー５との間に配設され、外装体４とヘッドカバー５との容器軸Ｏ周りに沿う相対的な回動に伴い、外装体４及びヘッドカバー５を、押下ヘッド３４がヘッドカバー５に囲繞された被覆位置と、押下ヘッド３４が通過孔７１を通して外部に突出した露出位置と、の間で容器軸Ｏ方向に沿って相対移動させる案内部８１と、を備え、ヘッドカバー５には、ヘッドカバー５に対して弾性変位可能に支持された操作片７４が配設され、操作片７４は、外装体４の被係止部６３に係止され、外装体４に対するヘッドカバー５の移動を規制する係止部７５と、係止部７５と被係止部６３との係止が解除される解除位置に向けて操作片７４を弾性変位させる操作部７６と、を備えていることを特徴とする。【選択図】図１
2015067296.tif 000002
【特許請求の範囲】
【請求項１】
内容物が収容される容器本体と、
上方付勢状態で下方移動可能に配設されたステム、及び前記ステム内に連通する吐出孔が形成された押下ヘッドを備えた吐出器と、
前記容器本体に外装された外装体と、
径方向の外側から前記押下ヘッドを囲繞するとともに、前記押下ヘッドと容器軸方向で対向する位置に前記押下ヘッドを通過させて外部に突出させる通過孔が形成されたヘッドカバーと、
前記外装体と前記ヘッドカバーとの間に配設され、前記外装体と前記ヘッドカバーとの容器軸周りに沿う相対的な回動に伴い、前記外装体及び前記ヘッドカバーを、前記押下ヘッドが前記ヘッドカバーに囲繞された被覆位置と、前記押下ヘッドが前記通過孔を通して外部に突出した露出位置と、の間で容器軸方向に沿って相対移動させる案内部と、を備え、
前記ヘッドカバーには、前記ヘッドカバーに対して弾性変位可能に支持された操作片が配設され、
前記操作片は、
前記外装体の被係止部に係止され、前記外装体に対する前記ヘッドカバーの移動を規制する係止部と、
前記係止部と前記被係止部との係止が解除される解除位置に向けて前記操作片を弾性変位させる操作部と、を備えていることを特徴とする吐出容器。
【請求項２】
請求項１記載の吐出容器において、
前記容器本体の外周面には、容器軸方向に沿って延びるリブが形成され、
前記外装体には、前記リブを収容して、前記容器本体及び前記外装体の容器軸周りの相対移動を規制するスリットが形成され、
容器軸方向に沿う前記リブと前記スリットとの間に前記被係止部が形成されていることを特徴とする吐出容器。
【請求項３】
請求項１または請求項２記載の吐出容器において、
前記案内部は、
前記ヘッドカバーと前記外装体とのうち一方側に配設され、容器軸周りに螺旋状に延在する溝部と、
前記ヘッドカバーと前記外装体とのうち他方側に配設され、前記溝部内を移動する突部と、を備え、
前記突部と、前記係止部及び前記被係止部と、の周方向に沿う位置が互いに一致していることを特徴とする吐出容器。
【発明の詳細な説明】
【技術分野】
【０００１】
本発明は、吐出容器に関する。
【背景技術】
【０００２】
従来から、オーバーキャップレスの吐出容器として、内容物が収容される容器本体と、上方付勢状態で下方移動可能に配設されたステム、及びステム内に連通する吐出孔が形成された押下ヘッドを備えた吐出器と、容器軸に直交する径方向の外側から押下ヘッドを囲繞するとともに、押下ヘッドと容器軸方向で対向する位置に押下ヘッドを通過させて外部に突出させる通過孔が形成されたヘッドカバーと、を備えた構成が知られている（例えば、下記特許文献１参照）。
【０００３】
この種の吐出容器では、容器本体とヘッドカバーとを容器軸周りに相対的に回動させることで、この回動動作に伴い、押下ヘッドがヘッドカバーに囲繞された被覆位置から、押下ヘッドが通過孔を通して外部に突出した露出位置に向けて、容器本体とヘッドカバーとが容器軸方向に相対移動する。そして、この露出位置において、押下ヘッドを操作して、容器本体内の内容物を吐出するようになっている。
【先行技術文献】
【特許文献】
【０００４】
【特許文献１】特開２００３−０２００８５号公報
【発明の概要】
【発明が解決しようとする課題】
【０００５】
しかしながら、上述した従来の吐出容器にあっては、例えば不意の外力や悪戯等によってヘッドカバーが容器本体に対して容器軸周りに回動した場合、ヘッドカバーが被覆位置から露出位置まで予期せず移動するおそれがある。そのため、被覆位置において、容器本体に対するヘッドカバーの露出位置への移動を確実に規制する点で改善の余地があった。
【０００６】
本発明は、このような事情に鑑みてなされたものであって、ヘッドカバーが被覆位置にあり、係止部が被係止部に係止された初期状態において、容器本体に対するヘッドカバーの露出位置への移動を確実に規制できる吐出容器を提供することを目的としている。
【課題を解決するための手段】
【０００７】
上記課題を解決するために、本発明は以下の手段を提案している。
本発明に係る吐出容器は、内容物が収容される容器本体と、上方付勢状態で下方移動可能に配設されたステム、及び前記ステム内に連通する吐出孔が形成された押下ヘッドを備えた吐出器と、前記容器本体に外装された外装体と、径方向の外側から前記押下ヘッドを囲繞するとともに、前記押下ヘッドと容器軸方向で対向する位置に前記押下ヘッドを通過させて外部に突出させる通過孔が形成されたヘッドカバーと、前記外装体と前記ヘッドカバーとの間に配設され、前記外装体と前記ヘッドカバーとの容器軸周りに沿う相対的な回動に伴い、前記外装体及び前記ヘッドカバーを、前記押下ヘッドが前記ヘッドカバーに囲繞された被覆位置と、前記押下ヘッドが前記通過孔を通して外部に突出した露出位置と、の間で容器軸方向に沿って相対移動させる案内部と、を備え、前記ヘッドカバーには、前記ヘッドカバーに対して弾性変位可能に支持された操作片が配設され、前記操作片は、前記外装体の被係止部に係止され、前記外装体に対する前記ヘッドカバーの移動を規制する係止部と、前記係止部と前記被係止部との係止が解除される解除位置に向けて前記操作片を弾性変位させる操作部と、を備えていることを特徴とする。
【０００８】
この構成によれば、被覆位置において、係止部と被係止部とが係止されているため、外装体に対するヘッドカバーの移動が規制される。一方、操作部を操作して、操作片を解除位置に維持することで、外装体に対するヘッドカバーの移動が許容される。そして、この状態で外装体とヘッドカバーとを案内部に沿って相対移動させることで、外装体とヘッドカバーとを露出位置に向けて移動させることができる。具体的に、ヘッドカバーと外装体との相対的な回動に伴い、ヘッドカバーと外装体とが容器軸方向に沿って相対移動することで、押下ヘッドがヘッドカバーの通過孔を通して外部に突出した露出位置となる。
このように、例えば不意の外力や悪戯等によってヘッドカバーが外装体に対して容器軸周りに予期せず回動するのを抑制し、ヘッドカバーが被覆位置にあり、係止部が被係止部に係止された初期状態において、外装体に対するヘッドカバーの露出位置への移動を確実に規制することができる。
【０００９】
また、前記容器本体の外周面には、容器軸方向に沿って延びるリブが形成され、前記外装体には、前記リブを収容して、前記容器本体及び前記外装体の容器軸周りの相対移動を規制するスリットが形成され、容器軸方向に沿う前記リブと前記スリットとの間に前記被係止部が形成されていてもよい。
この場合、容器本体に対する外装体の容器軸周りの移動が規制されているため、ヘッドカバーの操作時に容器本体に対するヘッドカバーと外装体との共回りを防止できる。
しかも、外装体のスリットと、容器本体のリブと、の間に被係止部が形成されているため、被係止部をスリットと別々に形成する必要がない。これにより、構成の簡素化を図ることができる。
【００１０】
また、前記案内部は、前記ヘッドカバーと前記外装体とのうち一方側に配設され、容器軸周りに螺旋状に延在する溝部と、前記ヘッドカバーと前記外装体とのうち他方側に配設され、前記溝部内を移動する突部と、を備え、前記突部と、前記係止部及び前記被係止部と、の周方向に沿う位置が互いに一致していてもよい。
この場合、突部と、係止部及び被係止部と、の周方向に沿う位置が互いに一致しているため、操作片を解除位置に維持した状態で、操作片を介してヘッドカバーを回動操作する際に、その力を突部に効率よく伝達することが可能になり、ヘッドカバーを案内部に沿って効率的に移動させることができる。
【発明の効果】
【００１１】
本発明に係る吐出容器によれば、例えば不意の外力や悪戯等によってヘッドカバーが外装体に対して容器軸周りに予期せず回動するのを抑制し、上述した初期状態において、外装体に対するヘッドカバーの露出位置への移動を確実に規制することができる。
【図面の簡単な説明】
【００１２】
【図１】初期状態における吐出容器の部分断面図である。
【図２】初期状態における吐出容器の部分断面図である。
【図３】外装体及び容器本体の側面図である。
【図４】ヘッドカバーが被覆位置にあり、操作片が解除位置にある状態を示す図１に相当する吐出容器の部分断面図である。
【図５】ヘッドカバーが露出位置にある状態を示す図１に相当する吐出容器の部分断面図である。
【図６】ヘッドカバーが露出位置にある状態を示す図２に相当する吐出容器の部分断面図である。
【発明を実施するための形態】
【００１３】
以下、本発明の実施形態について、図面を参照して説明する。
図１、図２に示すように、本実施形態の吐出容器１は、内容物が収容される有底筒状の容器本体２と、容器本体２に装着されて内容物を吐出する有頂筒状の吐出器３と、容器本体２に外装された筒状の外装体４と、外装体４に取り付けられて吐出器３の後述する押下ヘッド３４を被覆する筒状のヘッドカバー５と、を備えている。
【００１４】
なお、図示の例では、容器本体２、吐出器３、外装体４、及びヘッドカバー５それぞれの中心軸線は、共通軸上に配置されている。以下、この共通軸を容器軸Ｏといい、容器軸Ｏ方向に沿う押下ヘッド３４側を上側とし、容器本体２側を下側とし、容器軸Ｏに直交する方向を径方向とし、さらに容器軸Ｏ周りの方向を周方向とする。
【００１５】
容器本体２は、口部１１、肩部１２、胴部１３、及び底部１４を備え、これらが容器軸Ｏ方向に沿ってこの順に連設されて構成されている。
肩部１２は、上方に位置するもの程外径が小さく形成された多段筒状とされている。具体的に、肩部１２は、口部１１の下端縁から径方向の外側に向けて突設された上段部１５と、上段部１５の外周縁から下方に向けて延設された上筒部１６と、上筒部１６の下端縁から連設され、上筒部１６よりも大径とされた下筒部１７と、下筒部１７の下端縁と胴部１３とを接続する下段部１８と、を有している。
【００１６】
上筒部１６には、径方向の外側に向けて突出する係合突部２１が形成されている。なお、係合突部２１は、上筒部１６の全周に亘って形成されていても、周方向に間欠的に形成されていても構わない。
また、下筒部１７には、径方向の外側に向けて突出するとともに、容器軸Ｏ方向に沿って延びるリブ２２が形成されている。リブ２２は、下端縁が肩部１２の上端縁に接続される一方、上端縁は下筒部１７の上端縁よりも下方に位置している。なお、図示の例において、リブ２２は、径方向のうち、一方向で対向する位置に一対で設けられている。
【００１７】
吐出器３は、例えばポンプを利用して内容物を吐出させるポンプタイプの吐出器３であって、容器本体２の口部１１に装着される装着キャップ３１と、上方付勢状態で下方移動可能に配設されたステム３２を有する吐出器本体３３と、ステム３２の上端部に装着された有頂筒状の押下ヘッド３４と、を備えている。
【００１８】
装着キャップ３１は、口部１１に螺着される有頂筒状のキャップ本体４１と、キャップ本体４１の頂壁部から上方に向けて延在する案内筒４２と、を備えている。
キャップ本体４１の頂壁部は、環状に形成され、パッキン４３を間に挟んで口部１１の上端縁上に配置されている。そして、頂壁部における径方向の内側端部は、口部１１よりも径方向の内側に位置し、ここに吐出器本体３３の後述するシリンダ５１が連設されている。なお、キャップ本体４１は、アンダーカット嵌合等により口部１１に装着されていても構わない。
案内筒４２は、その内側で、押下ヘッド３４の容器軸Ｏ方向に沿う移動を案内する。
【００１９】
吐出器本体３３は、上述した装着キャップ３１に一体的に形成されたシリンダ５１と、内部がシリンダ５１内に連通するとともに、シリンダ５１から上方に向けて突出した上述したステム３２と、シリンダ５１内に配設されるとともにステム３２に連係する図示しないピストンと、ステム３２及びピストンを上方に向けて付勢する付勢部材５４と、を備えている。
シリンダ５１は、下端側が吸上筒５２を介して容器本体２内に連通しているとともに、上端側がステム３２を介して押下ヘッド３４内に連通している。なお、シリンダ５１は、装着キャップ３１と別体で設けても構わない。
【００２０】
押下ヘッド３４は、有頂筒状に形成され、その周壁部には径方向の外側に向けて開口する吐出孔３４ａが形成されている。また、押下ヘッド３４の内部には、吐出孔３４ａとステム３２内とを連通する流通路５３が形成されている。
【００２１】
外装体４は、容器本体２の肩部１２のうち、上筒部１６及び下筒部１７を径方向の外側から囲繞している。外装体４の内周面には、径方向の内側に向けて突出する係合突部６１が形成されている。この係合突部６１は、上述した容器本体２の係合突部２１にアンダーカット嵌合され、容器本体２と外装体４との容器軸Ｏ方向に沿う相対移動を規制している。なお、図示の例において、外装体４の外径は、胴部１３の外径よりも大きくなっている。
【００２２】
また、図３に示すように、外装体４には、径方向のうち、上述した一方向で対向する位置に、容器軸Ｏ方向に沿って延びるスリット６２が形成されている。各スリット６２は、径方向に貫通するとともに、外装体４の下端縁に開口しており、その内側に上述したリブ２２が各別に嵌まり込んでいる。これにより、外装体４と容器本体２との周方向に沿う相対移動が規制されている。
また、スリット６２は、容器軸Ｏ方向に沿う長さがリブ２２よりも長くなっており、リブ２２の上端縁とスリット６２の上端縁との間には容器軸Ｏ方向に延びる隙間が形成されている。この隙間は、後述する係止部７５が係止される被係止部６３として機能する。
【００２３】
図１、図２に示すように、ヘッドカバー５は、容器本体２の肩部１２、及び吐出器３を径方向の外側から囲繞するとともに、上部が下部に対して縮径された二段筒状とされている。ヘッドカバー５のうち、上述した押下ヘッド３４の上方に位置する部分は、容器軸Ｏ方向に沿って開口しており、押下ヘッド３４を通過させて外部に突出させる通過孔７１を構成している。図示の例において、通過孔７１の内径は、吐出器３の案内筒４２よりも大径になっている。
【００２４】
ヘッドカバー５には、径方向のうち、上述した一方向で対向する位置に、下方に向けて開放された一対の凹部７２が形成されている。各凹部７２内には、操作片７４が各別に収容されている。図２に示すように、操作片７４は、その両周端縁が凹部７２の内周面のうち、周方向で対向する一対の側面部に弾性ヒンジ部７３を介して各別に連結されている。
【００２５】
図１、図２に示すように、各操作片７４は、径方向から見た側面視で容器軸Ｏ方向に沿って延びる板状とされ、その下部がヘッドカバー５の下端縁よりも下方に向けて突出している。そして、操作片７４は、弾性ヒンジ部７３の弾性変形により弾性変位可能に構成されている。図示の例において、操作片７４は、周方向に沿って延びるヒンジ軸Ｃ周りに回動するようになっている。
【００２６】
操作片７４の上端部には、径方向の内側に向けて突出する係止部７５が形成されている。係止部７５は、上述した外装体４の被係止部６３内に係止され、これにより、外装体４に対するヘッドカバー５の容器軸Ｏ方向及び周方向への移動が規制されている。
一方、操作片７４のうち、ヘッドカバー５の下端縁よりも下方に突出した部分は、係止部７５が被係止部６３に係止された係止位置から、係止部７５が被係止部６３から離脱する解除位置（図４参照）に向けて、操作片７４をヒンジ軸Ｃ周りに操作するための操作部７６を構成している。
【００２７】
ここで、外装体４とヘッドカバー５との間には、外装体４とヘッドカバー５との容器軸Ｏ周りに沿う相対的な回動に伴い、外装体４とヘッドカバー５とを容器軸Ｏ方向に沿って相対移動可能に支持する案内部８１が配設されている。
【００２８】
案内部８１は、外装体４に配設されて周方向に沿って螺旋状に延在する一対の溝部８２と、ヘッドカバー５に配設されて各溝部８２内をそれぞれ摺動する一対の突部８３と、を備えている。
図３に示すように、各溝部８２は、外装体４の外周面のうち、周方向の一方側に向かうに従い下方に向けて延在しており、その上端部分８２ａが各スリット６２の上方に位置し、下端部分８２ｂ（図２参照）が外装体４の下端部において上端部分８２ａに対して周方向で離間した部分に位置している。なお、図示の例において、各溝部８２それぞれの上端部分８２ａ及び下端部分８２ｂは、周方向で例えば９０°程度離間している。
したがって、各溝部８２の上端部分８２ａは、径方向のうち、上述した一方向で対向する一方、下端部分８２ｂは、上述した一方向に直交する他方向で対向している。なお、上端部分８２ａの内周面のうち、下方に位置する面は、周方向に沿って延びる平坦面とされている。
【００２９】
また、各溝部８２の上端部分８２ａには、上方に向けて延びる縦溝部８５が形成されている。各縦溝部８５は、下端部が溝部８２内に連通する一方、上端部が外装体４の上端縁で上方に向けて開放されている。各縦溝部８５内のうち、周方向の一方側に位置する内周面は、径方向の外側に向かうに従い周方向の一方側に向けて傾斜するテーパ面とされている。
【００３０】
図１、図２に示すように、突部８３は、ヘッドカバー５の内周面のうち、上述した係止部７５の上方に位置する部分から径方向の内側に向けて突出している。突部８３は、上述した縦溝部８５を通して溝部８２内に収容されている。なお、上述した縦溝部８５には、径方向の外側に向けて突出する規制突部８６が形成され、突部８３の上方への移動が規制されている。
【００３１】
そして、本実施形態の案内部８１は、押下ヘッド３４がヘッドカバー５によって径方向の外側から囲繞された被覆位置と、押下ヘッド３４がヘッドカバー５の通過孔７１を通して外部に突出した露出位置（図５、図６参照）と、の間で、外装体４及び容器本体２に対するヘッドカバー５の相対移動を案内する。なお、上述したヘッドカバー５の被覆位置において、案内部８１の突部８３と、係止部７５及び被係止部６３と、は周方向の位置が互い一致している。
【００３２】
次に、上述した吐出容器１の動作について説明する。なお、以下の説明では、図１、図２に示すようにヘッドカバー５が上述した被覆位置にあり、かつ操作片７４が係止位置にある状態を吐出容器１の初期状態とする。
図４に示すように、吐出容器１を使用する場合には、まず各操作片７４の操作部７６を指等により把持し、各操作部７６を径方向の内側に向けて押圧する。すると、操作片７４は弾性ヒンジ部７３の弾性変形によりヒンジ軸Ｃ周りに弾性変位することで、係止位置から解除位置に向けて移動する。具体的に、操作片７４の係止部７５が径方向の外側に向けて移動することで、係止部７５が外装体４の被係止部６３から離脱する。これにより、外装体４に対するヘッドカバー５の容器軸Ｏ方向及び周方向への移動が許容される。
【００３３】
そして、操作片７４を解除位置に維持した状態で、外装体４とヘッドカバー５とを周方向の一方側に向けて相対的に回動させる。すると、図５、図６に示すように、ヘッドカバー５は、被覆位置から露出位置に向けて案内部８１によって案内される。具体的には、外装体４の溝部８２内を、上端部分８２ａから下端部分８２ｂに向けて突部８３が摺動することで、ヘッドカバー５と外装体４及び容器本体２との相対的な回動動作に伴い、ヘッドカバー５が外装体４及び容器本体２に対して下方に向けて移動する。
【００３４】
これにより、押下ヘッド３４が、ヘッドカバー５の通過孔７１を通してヘッドカバー５よりも上方に向けて突出した露出位置となる。なお、突部８３は、溝部８２の下端部分８２ｂの内面に突き当たることで、容器本体２及び外装体４に対するヘッドカバー５のそれ以上の移動が規制される。
その後、操作片７４における操作部７６の押圧を解除すると、操作片７４は弾性ヒンジ部７３の復元に伴うヒンジ軸Ｃ周りの弾性変位によって、係止部７５が容器本体２の胴部１３に径方向の外側から当接する。なお、操作片７４は、突部８３が下端部分８２ｂに到達するまで操作部７６を押圧し続ける必要はなく、少なくとも係止部７５と被係止部６３との周方向位置がずれるまで操作部７６を押圧しておけば、その後は押圧を解除しても構わない。
【００３５】
そして、ヘッドカバー５が露出位置ある状態で、押下ヘッド３４の押し下げ操作によってステム３２を押し下げ、吸上筒５２を通して容器本体２内の内容物を吐出器本体３３内に吸い上げる。吐出器本体３３内に吸い上げられた内容物は、ステム３２を通じて、押下ヘッド３４の流通路５３内に流入し、その後吐出孔３４ａを通じて、外部に向けて吐出される。
【００３６】
吐出容器１の使用後、吐出容器１を初期状態に戻すためには、まず外装体４とヘッドカバー５とを周方向の他方側に向けて相対的に回動させる。すると、ヘッドカバー５は、露出位置から被覆位置に向けて案内部８１によって案内される。具体的には、外装体４の溝部８２内を、下端部分８２ｂから上端部分８２ａに向けて突部８３が摺動することで、ヘッドカバー５と容器本体２及び外装体４との相対的な回動動作に伴い、ヘッドカバー５が外装体４及び容器本体２に対して上方に向けて移動する。
これにより、押下ヘッド３４が、ヘッドカバー５の通過孔７１から退避し、ヘッドカバー５により囲繞された被覆位置となる。なお、突部８３は、溝部８２の上端部分８２ａの内面に突き当たることで、容器本体２及び外装体４に対するヘッドカバー５のそれ以上の移動が規制される。
【００３７】
また、ヘッドカバー５が突出位置から被覆位置まで移動する過程において、操作片７４の係止部７５は、胴部１３及び外装体４の外周面に摺動しながら、ヘッドカバー５の突部８３と平行に移動する。このとき、上述したように外装体４の外径は、胴部１３の外径よりも大きくなっているため、係止部７５が外装体４に差し掛かると、操作片７４がヒンジ軸Ｃ周りに沿う解除位置側に向けて弾性変位する。
その後、操作片７４は、弾性変位した状態で、係止部７５が外装体４の外周面を摺動し、係止部７５が被係止部６３に到達した時点で、弾性ヒンジ部７３の復元変形により係止位置に向けて弾性変位する。これにより、係止部７５が被係止部６３内に係止される。すなわち、本実施形態では、ヘッドカバー５が突出位置から被覆位置に移動する過程では、操作部７６を操作することなく、係止部７５が被係止部６３に自動的に係止されるようになっている。
以上により、吐出容器１が初期状態に戻る。
【００３８】
このように、本実施形態では、被覆位置において、係止部７５と被係止部６３とが係止されているため、外装体４とヘッドカバー５との案内部８１に沿った相対移動が規制される。一方、係止部７５と被係止部６３との係止が解除される解除位置で操作片７４を維持した状態で、外装体４とヘッドカバー５とを案内部８１に沿って相対移動させることで、外装体４とヘッドカバー５とを露出位置に向けて移動させることができる。
これにより、例えば外力や悪戯等によってヘッドカバー５が外装体４に対して容器軸Ｏ周りに予期せず回動するのを抑制し、初期状態において外装体４に対するヘッドカバー５の露出位置への移動を確実に規制することができる。
【００３９】
また、溝部８２における上端部分８２ａの内周面のうち、下方に位置する面が、周方向に沿って延びる平坦面とされているため、ヘッドカバー５に対して下方に向けて外力が作用した場合に、不意に突部８３が溝部８２内を摺動し、ヘッドカバー５が外装体４に対して回動するのを抑制できる。これにより、初期状態における外装体４に対するヘッドカバー５の露出位置への移動を確実に規制することができる。
【００４０】
さらに、外装体４のスリット６２内に容器本体２のリブ２２が嵌め込まれることで、容器本体２に対する外装体４の容器軸Ｏ周りの移動が規制されているので、ヘッドカバー５の操作時に容器本体２に対するヘッドカバー５と外装体４との共回りを防止できる。
しかも、外装体４のスリット６２と、容器本体２のリブ２２と、の間に被係止部６３が形成されているため、被係止部６３をスリット６２と別々に形成する必要がない。これにより、構成の簡素化を図ることができる。
【００４１】
また、スリット６２が外装体４の下端縁で開口しているため、外装体４の成形時において、型抜きが容易になり、金型構造の複雑化を抑えることができる。これにより、外装体４を容易に形成することができ、製造効率の向上を図ることができる。
しかも、外装体４の下端縁でスリット６２を開口させることで、スリット６２を成形する部分を有する金型を、型開き時に容器軸Ｏ方向に移動させることができる。これにより、径方向への抜き勾配を考慮することがないので、スリット６２の内周面を径方向に延びる平坦面とすることができ、リブ２２とスリット６２との嵌合を確実なものとすることができる。
【００４２】
また、上述した被覆位置において、突部８３と、係止部７５及び被係止部６３と、の周方向に沿う位置が互いに一致しているため、操作片７４を解除位置に維持した状態で、操作片７４を介してヘッドカバー５を回動操作する際に、その力を突部８３に効率よく伝達することが可能になり、ヘッドカバー５を案内部８１に沿って効率的に移動させることができる。
【００４３】
以上、本発明の実施形態について図面を参照して詳述したが、具体的な構成はこの実施形態に限られるものではなく、本発明の要旨を逸脱しない範囲の設計変更等も含まれる。
【００４４】
例えば、上述した実施形態では、操作片７４や案内部８１（溝部８２及び突部８３）をそれぞれ一対ずつ配設した構成について説明したが、これに限らず、単数や３つ以上の複数ずつ配設しても構わない。
また、上述した実施形態では、案内部８１として、外装体４側に溝部８２を形成し、ヘッドカバー５側に突部８３を形成した場合について説明したが、これとは逆に、外装体４側に突部８３を形成し、ヘッドカバー５側に溝部８２を形成しても構わない。
また、上述した実施形態では、突部８３が溝部８２内を摺動する構成について説明したが、これに限らず、突部８３が溝部８２内を移動する構成であれば構わない。
さらに、上述した実施形態では、外装体４の外径が容器本体２よりも大きい構成について説明したが、これに限られない。
【００４５】
さらに、溝部８２の形成範囲等は適宜設計変更が可能である。
また、上述した実施形態では、外装体４の被係止部６３と、操作片７４の係止部７５と、で凹凸形状を逆に形成しても構わない。
【００４６】
また、上述した吐出器３として、ポンプタイプの吐出器３を採用した場合について説明したが、これに限られない。例えばエアゾールタイプの吐出器を採用しても構わない。
また、上述した実施形態では、外装体４が容器本体２の肩部１２のみを囲繞する構成について説明したが、これに限らず、胴部１３等を囲繞しても構わない。
さらに、上述した実施形態では、ヘッドカバー５を筒状に形成した場合について説明したが、これに限られない。すなわち、押下ヘッド３４に対して容器軸Ｏ方向で対向する位置に、押下ヘッド３４を外部に突出させる通過孔７１が形成されていれば、ヘッドカバー５の形状は適宜設計変更が可能である。
【００４７】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４８】
１…吐出容器
２…容器本体
３…吐出器
４…外装体
５…ヘッドカバー
２２…リブ
３２…ステム
３４…押下ヘッド
３４ａ…吐出孔
６２…スリット
６３…被係止部
７１…通過孔
７５…係止部
７６…操作部
８１…案内部
８２…溝部
８３…突部
Ｏ…容器軸
【図１】
2015067296.tif 000003
【図２】
2015067296.tif 000004
【図３】
2015067296.tif 000005
【図４】
2015067296.tif 000006
【図５】
2015067296.tif 000007
【図６】
2015067296.tif 000008